(57)【要約】      （修正有）【課題】点検中に非常事態が発生したときに、遠隔点検を中止してから散水待機状態までの移行時間を短縮して火災対応の遅れ時間を最小限に抑える自動弁装置点検システムを提供する。【解決手段】点検復旧放水指示部９８は、パイロット弁３０に開制御を指示して自動弁の二次側から排水側に加圧水を流しているテスト放水の点検状態で火災信号の検知に基づき遠隔点検を中止した場合、当該中止した点検状態を放水待機状態として維持し、自動弁を閉鎖する定常監視状態には復旧せず、自動弁を開放したままの当該放水待機状態で放水信号を検知した場合に点検弁として機能する点検弁４０及びテスト放水弁４２の定常位置への切替えを指示して水圧アクチュエータの駆動でテスト用制水弁を全開とし、自動弁の定常監視状態への復旧時間を必要とすることなく、自動弁の二次側から加圧水を水噴霧ヘッドに供給して放水する。【選択図】図５
2015130928.tif 000002
【特許請求の範囲】
【請求項１】
水噴霧ノズルに加圧水を供給して散水させる自動弁と、
水噴霧時又はテスト放水時に前記自動弁を開制御するパイロット弁と、
前記自動弁の二次側に配置され、定常時に開放され、テスト放水時に閉鎖されるテスト用制水弁と、
自動弁装置を点検する場合に、前記テスト用制水弁を閉鎖し、前記パイロット弁に開制御を指示して前記自動弁の二次側から排水側に加圧水を流してテスト放水し、当該テスト放水を終了する場合に、前記パイロット弁に閉制御を指示して前記自動弁を閉制御した後に、前記テスト用制水弁を開放する点検指示部と、
前記点検指示部による前記自動弁装置の点検中に点検中止を検知した場合に、放水待機状態に復旧させ、当該放水待機状態で放水開始信号を検知した場合に前記水噴霧ノズルから加圧水を散水させる点検復旧放水指示部と、
を設けた自動弁装置点検システムに於いて、
前記点検復旧放水指示部は、前記パイロット弁に開制御を指示して前記自動弁の二次側から排水側に加圧水を流しているテスト放水の点検状態で前記点検中止を検知した場合、当該点検状態を放水待機状態とし、当該放水待機状態で放水信号を検知した場合に前記テスト用制水弁を開放とし、前記自動弁の二次側から加圧水を前記水噴霧ヘッドに供給して散水することを特徴とする自動弁装置点検システム。
【請求項２】
請求項１記載の自動弁装置点検システムに於いて、前記点検復旧放水指示部は、前記パイロット弁に閉制御を指示して前記自動弁を閉鎖している点検状態で前記点検を中止した場合、前記パイロット弁に開制御を指示して前記自動弁を開状態とした放水待機状態に復旧させ、当該放水待機状態で放水信号を検知した場合に、前記テスト用制水弁を開放とし、前記自動弁の二次側から加圧水を前記水噴霧ヘッドに供給して散水することを特徴とする自動弁装置点検システム。
【請求項３】
請求項１記載の自動弁装置点検システムに於いて、
前記テスト用制水弁を開閉制御するピストン・シリンダ機構を備えた水圧アクチュエータを備え、
定常時に前記水圧アクチュエータの第１シリンダ室に加圧水を供給すると共に第２シリンダ室を排水側に連通して開放方向に駆動する定常位置と、テスト放水時に点検指示部により前記第２シリンダ室に加圧水を供給すると共に前記第１シリンダ室を排水側に連通して閉鎖方向への駆動する点検位置とを切替える点検切替弁とを備え、
前記点検復旧放水指示部は、点検を中止して放水待機状態で放水信号を検知した場合に前記点検切替弁の定常位置への切替えを指示して前記水圧アクチュエータの駆動で前記テスト用制水弁を開放し、前記自動弁の二次側から加圧水を前記水噴霧ヘッドに供給して散水することを特徴とする自動弁装置点検システム。
【請求項４】
請求項３記載の自動弁装置点検システムに於いて、前記点検切替弁は、
前記水圧アクチュエータの前記第１シリンダ室に加圧水を供給して開放方向に駆動する定常位置と、前記第２シリンダ室に加圧水を供給して閉鎖方向に駆動する点検位置とを切替える点検弁と、
前記水圧アクチュエータの前記第２シリンダ室を排水側に連通して開放方向への駆動を許容する定常位置と、前記水圧アクチュエータの前記第１シリンダ室を排水側に連通して閉鎖方向への駆動を許容する点検位置とを切替えるテスト放水弁と、
で構成され、
前記点検指示部は、前記テスト放水弁及び前記点検弁の順番に前記定常位置から前記点検位置へ切替えを指示して前記テスト用制水弁を閉鎖し、前記パイロット弁に開制御を指示して前記自動弁の二次側から排水側に加圧水を流してテスト放水し、当該テスト放水を終了する場合に、前記パイロット弁に閉制御を指示して前記自動弁を閉制御した後に、前記点検弁及びテスト放水弁の順番に点検位置から定常位置への切替えを指示して前記テスト用制水弁を開放し、
前記点検復旧放水指示部は、前記点検弁の点検位置への切替えを指示してから前記テスト用制水弁の開放を経て前記パイロット弁の開制御を指示する前までの間に、点検を中止した場合、前記点検弁及びテスト放水弁の順番に定常位置への切替えを指示して前記テスト用制水弁の開放を検知した放水待機状態に復旧し、当該放水待機状態で放水信号を検知した場合、前記パイロット弁に開制御を指示して前記自動弁の二次側から加圧水を前記水噴霧ヘッドに供給して散水することを特徴とする自動弁装置点検システム。
【請求項５】
請求項３記載の自動弁装置点検システムに於いて、前記点検復旧放水指示部は、前記点検弁の定常位置への切替えを指示してから前記テスト放水弁の定常位置への切替えを指示する前までの間に、点検を中止した場合、前記点検弁及びテスト放水弁の順番に定常位置への切替えを指示して前記テスト用制水弁の開放を検知した放水待機状態に復旧し、当該放水待機状態で放水信号を検知した場合、前記パイロット弁に開制御を指示して前記自動弁の二次側から加圧水を前記水噴霧ヘッドに供給して散水することを特徴とする自動弁装置点検システム。
【請求項６】
請求項３記載の自動弁装置点検システムに於いて、前記点検復旧放水指示部は、前記テスト放水弁の点検位置への切替えを指示してから前記点検弁の点検位置への切替えを指示する前までの間に、点検を中止した場合、前記テスト放水弁に定常位置への切替えを指示して前記テスト用制水弁の開放を検知した放水待機状態に復旧し、当該放水待機状態で放水信号を検知した場合、前記パイロット弁に開制御を指示して前記自動弁の二次側から加圧水を前記水噴霧ヘッドに供給して散水することを特徴とする自動弁装置点検システム。
【請求項７】
請求項３記載の自動弁装置点検システムに於いて、前記点検復旧放水指示部は、前記テスト放水弁の定常位置への切替えを指示してから前記テスト用制水弁の開放を検知する前までの間に、点検を中止した場合、前記テスト放水弁に定常位置への切替えを指示して前記テスト用制水弁の開放を検知した放水待機状態に復旧し、当該放水待機状態で放水信号を検知した場合、前記パイロット弁に開制御を指示して前記自動弁の二次側から加圧水を前記水噴霧ヘッドに供給して散水することを特徴とする自動弁装置点検システム。
【発明の詳細な説明】
【技術分野】
【０００１】
本発明は、トンネル等に設置された水噴霧設備の自動弁装置を点検する自動弁装置点検システムに関する。
【背景技術】
【０００２】
従来、自動車専用道路等のトンネルには、トンネル内で発生する火災事故から人身及び車両を守るため、非常用設備が設置されている。このような非常用設備としては、火災の監視と通報のため火災検知器や非常電話が設けられ、火災の消火や延焼防止のために消火栓装置、トンネル防護のための水噴霧ヘッドと自動弁装置等を備えた水噴霧設備が設けられる。
【０００３】
水噴霧設備は自動弁装置を消火栓装置と同様に例えば５０メートル間隔で設置され、１台の自動弁装置は例えば５メートル間隔に配置した複数の水噴霧ヘッドから散水する機能を有する。トンネル内を所定距離単位で複数の防護区画を設定し、火災時には火災を検出した防護区画と隣接する防護区画に対応する自動弁装置を弁開放することで水噴霧ヘッドから散水を行う。
【０００４】
このようなトンネル内の非常用設備は、半年又は１年に一度、定期点検が実施される。水噴霧設備の自動弁装置を点検する際には、点検員がトンネル内に出向いて自動弁の２次側に設けているテスト用制水弁をハンドル操作により閉鎖し、自動弁とテスト用制水弁の間の配管から排水系に至るテスト放水用の経路を準備し、この状態で自動弁を起動して水噴霧ヘッドから実放水することなく排水系にテスト放水して動作性能を確認する。動作性能の確認には自動弁装置の２次側に試験用の圧力計または圧力センサを取り付け、起動弁を手動又は遠隔で開操作することにより自動弁を起動し、圧力調整弁による放水圧力の調整状態を圧力計で確認する。
【０００５】
点検が終了した場合は、起動弁を閉操作して自動弁を閉じ、更に閉鎖状態とした自動弁２次側のテスト用制水弁を再開放して定常監視状態に戻している。
【０００６】
ところで、自動弁装置を点検する際に点検員がトンネル内に出向いてテスト用制水弁等を開閉操作する手間を節減するため、遠隔から自動弁装置に制御信号を送出することで遠隔的にテスト用制水弁等を開閉制御して点検を行えるようにした自動弁装置の点検装置が提案されている。
【先行技術文献】
【特許文献】
【０００７】
【特許文献１】特開２００２−１２６１２０号公報
【発明の概要】
【発明が解決しようとする課題】
【０００８】
ところで、このような従来の自動弁装置の点検にあっては、点検中に火災等の非常事態が発生した場合の対処方法を考慮する必要がある。従来の作業員が現場で自動弁装置を点検する場合には、点検中に火災が発生した場合は作業員が自動弁を閉鎖しテスト用制水弁を開放して定常監視状態への復旧操作を行なうことで、火災に対し対応が可能となる。
【０００９】
また、自動弁装置を遠隔点検している場合には、自動弁装置を設置している現場に作業員がいないため、点検中の自動弁装置を遠隔復旧して火災に対処する必要がある。
【００１０】
この点検中の自動弁装置の遠隔復旧は、防災監視盤から火災検知信号を受信した場合に自動弁装置の点検を中止し、点検途中の状態にある自動弁装置を、点検前の定常監視状態に復旧させ、その後、防災受信盤から放水信号を受信した場合に自動弁を開制御して水噴霧ヘッドから放水する。
【００１１】
しかし、自動弁装置の点検を中止してから定常監視状態に復旧させる場合、自動弁装置の遠隔点検を中止した状態によっては、定常監視状態に復旧するまでに時間が長くかかる場合があり、火災対応までの時間遅れが問題となる。
【００１２】
例えば自動弁の二次側に設けたテスト用制水弁を定常監視状態に復旧する際には、テスト用制水弁の開閉に例えば十数秒かかり、テスト用制水弁を加圧水の供給状態の切換えにより開閉制御する装置の場合には、加圧水の供給と排出を行う切替弁の制御を含めると、定常監視状態への復帰時間がさらに長くなり、火災対応遅れが大きくなる問題がある。
【００１３】
本発明は、点検中に火災等の非常事態が発生したときに、遠隔点検を中止してから散水開始信号を受ければすぐに散水可能な散水待機状態に移行するまで、さらに散水待機状態から散水開始までの移行時間を短縮して火災対応の遅れ時間を最小限に抑える自動弁装置点検システムを提供することを目的とする。
【課題を解決するための手段】
【００１４】
本発明は、
水噴霧ノズルに加圧水を供給して散水させる自動弁と、
水噴霧時又はテスト放水時に前記自動弁を開制御するパイロット弁と、
自動弁の二次側に配置され、定常時に開放され、テスト放水時に閉鎖されるテスト用制水弁と、
自動弁装置を点検する場合に、テスト用制水弁を閉鎖し、パイロット弁に開制御を指示して自動弁の二次側から排水側に加圧水を流してテスト放水し、テスト放水を終了する場合に、パイロット弁に閉制御を指示して自動弁を閉制御した後に、テスト用制水弁を開放する点検指示部と、
点検指示部による自動弁装置の点検中に点検中止を検知した場合に、放水待機状態に復旧させ、放水待機状態で放水開始信号を検知した場合に水噴霧ノズルから加圧水を散水させる点検復旧放水指示部と、
を設けた自動弁装置点検システムに於いて、
点検復旧放水指示部は、パイロット弁に開制御を指示して自動弁の二次側から排水側に加圧水を流しているテスト放水の点検状態で点検中止を検知した場合（状態４）、点検状態を放水待機状態とし、放水待機状態で放水信号を検知した場合にテスト用制水弁を開放とし、自動弁の二次側から加圧水を水噴霧ヘッドに供給して散水する。
【００１５】
点検復旧放水指示部は、パイロット弁に閉制御を指示して自動弁を閉鎖している点検状態で前記点検を中止した場合（状態５）、パイロット弁に開制御を指示して自動弁を開状態とした放水待機状態に復旧させ、放水待機状態で放水信号を検知した場合に、テスト用制水弁を開放とし、自動弁の二次側から加圧水を水噴霧ヘッドに供給して散水する。
【００１６】
また、テスト用制水弁を開閉制御するピストン・シリンダ機構を備えた水圧アクチュエータを備え、
定常時に水圧アクチュエータの第１シリンダ室に加圧水を供給すると共に第２シリンダ室を排水側に連通して開放方向に駆動する定常位置と、テスト放水時に点検指示部により前記第２シリンダ室に加圧水を供給すると共に前記第１シリンダ室を排水側に連通して閉鎖方向への駆動する点検位置とを切替える点検切替弁とを備え、
点検復旧放水指示部は、点検を中止して放水待機状態で放水信号を検知した場合に点検切替弁の定常位置への切替えを指示して水圧アクチュエータの駆動でテスト用制水弁を開放し、自動弁の二次側から加圧水を前記水噴霧ヘッドに供給して散水する。
【００１７】
点検切替弁は、
水圧アクチュエータの第１シリンダ室に加圧水を供給して開放方向に駆動する定常位置と、第２シリンダ室に加圧水を供給して閉鎖方向に駆動する点検位置とを切替える点検弁と、
水圧アクチュエータの第２シリンダ室を排水側に連通して開放方向への駆動を許容する定常位置と、水圧アクチュエータの第１シリンダ室を排水側に連通して閉鎖方向への駆動を許容する点検位置とを切替えるテスト放水弁と、
で構成され、
点検指示部は、テスト放水弁及び点検弁の順番に定常位置から点検位置へ切替えを指示してテスト用制水弁を閉鎖し、パイロット弁に開制御を指示して自動弁の二次側から排水側に加圧水を流してテスト放水し、テスト放水を終了する場合に、パイロット弁に閉制御を指示して自動弁を閉制御した後に、点検弁及びテスト放水弁の順番に点検位置から定常位置への切替えを指示してテスト用制水弁を開放し、
点検復旧放水指示部は、点検弁の点検位置への切替えを指示してからテスト用制水弁の開放を経て前記パイロット弁の開制御を指示する前までの間に、点検を中止した場合（状態３）、点検弁及びテスト放水弁の順番に定常位置への切替えを指示してテスト用制水弁の開放を検知した放水待機状態に復旧し、放水待機状態で放水信号を検知した場合、前記パイロット弁に開制御を指示して自動弁の二次側から加圧水を水噴霧ヘッドに供給して散水する。
【００１８】
点検復旧放水指示部は、点検弁の定常位置への切替えを指示してからテスト放水弁の定常位置への切替えを指示する前までの間に、点検を中止した場合（状態６）、点検弁及びテスト放水弁の順番に定常位置への切替えを指示してテスト用制水弁の開放を検知した放水待機状態に復旧し、放水待機状態で放水信号を検知した場合、パイロット弁に開制御を指示して自動弁の二次側から加圧水を水噴霧ヘッドに供給して散水する。
【００１９】
点検復旧放水指示部は、テスト放水弁の点検位置への切替えを指示してから点検弁の点検位置への切替えを指示する前までの間に、点検を中止した場合（状態２）、テスト放水弁に定常位置への切替えを指示してテスト用制水弁の開放を検知した放水待機状態に復旧し、放水待機状態で放水信号を検知した場合、パイロット弁に開制御を指示して自動弁の二次側から加圧水を水噴霧ヘッドに供給して散水する。
【００２０】
点検復旧放水指示部は、テスト放水弁の定常位置への切替えを指示してからテスト用制水弁の開放を検知する前までの間に、点検を中止した場合（状態７）、テスト放水弁に定常位置への切替えを指示してテスト用制水弁の開放を検知した放水待機状態に復旧し、放水待機状態で放水信号を検知した場合、パイロット弁に開制御を指示して自動弁の二次側から加圧水を水噴霧ヘッドに供給して散水する。
【発明の効果】
【００２１】
本発明によれば、自動弁装置の遠隔点検中に火災発生など非常事態が発生した場合、例えばパイロット弁に開制御して自動弁の二次側から排水側に加圧水を流しているテスト放水の点検状態（状態４）で、点検を中止した場合は、当該中止した点検状態を放水待機状態として維持し、自動弁を閉鎖する定常監視状態には復旧させず、自動弁を開放したままの放水待機状態とし、自動弁を閉鎖状態とする定常監視状態への復旧は行なわない。このテスト用制水弁を閉鎖状態とし且つ自動弁を開放とした放水待機状態で、放水信号を検知した場合に、テスト用制水弁を開放制御し、自動弁の定常監視状態への復旧時間を必要とすることなく、自動弁の二次側から加圧水を前記水噴霧ヘッドに供給して散水する。このため火災検知により遠隔点検を中止してから定常監視状態に復旧するまでの時間を短縮して非常時の対応の遅れ時間を最小限に抑えることができる。
【図面の簡単な説明】
【００２２】
【図１】本発明による自動弁装置点検システムを備えた水噴霧設備の概略を示した説明図
【図２】図１に設けた自動弁装置の実施形態を示した説明図
【図３】図２に設けたテスト用制水弁に設けた水圧アクチュエータを取り出して実施形態を示した説明図
【図４】図２の実施形態におけるテスト放水動作を示した説明図
【図５】図１のセンタ装置と自動弁装置に設けた端末ユニットの詳細を示したブロック図
【図６】図５の実施形態による自動弁装置点検動作を示した動作フロー図
【図７】図６の状態４及び状態５で火災検知による点検を中止した場合の点検復旧放水動作を示した動作フロー図
【図８】図６の状態３，６、状態２，７及び状態１，８で火災検知による点検を中止した場合の点検復旧放水動作を示した動作フロー図
【図９】図５のセンタ装置に設けた点検復旧放水部による処理の概略を示したフローチャート
【発明を実施するための形態】
【００２３】
図１は本発明による自動弁装置点検システムを備えた水噴霧設備の概略を示した説明図である。図１において、自動弁装置１はトンネル側壁のコンクリート枠体に対し枠抜きされたスペースに例えば５０メートル間隔で設置されている。自動弁装置１の一次側には給水配管８が接続され、給水配管８には所定圧力範囲、例えば０．７ＭＰａ〜１．７７ＭＰａの範囲となる加圧水（加圧消火用水）が充填されている。
【００２４】
自動弁装置１の二次側にはヘッド配管３が設けられ、ヘッド配管３はコンクリート側壁に沿って立ち上がった後に長手方向に分岐され、このヘッド配管３に所定間隔で複数の水噴霧ヘッド４が接続されている。
【００２５】
自動弁装置１には端末ユニット２が設けられ、伝送路９を介してセンタ装置５に接続されている。端末ユニット２はセンタ装置５からの水噴霧起動コマンドを含む電文を受信して自動弁装置１を起動して水噴霧ヘッド４から散水し、起動後に、圧力センサで検出した放水圧力を含む電文をセンタ装置５に伝送し、センタ装置５側で自動弁装置１の動作を表示する。
【００２６】
また端末ユニット２はセンタ装置５からの遠隔的な点検指示に伴う制御コマンドを含む電文を受信して自動弁装置１をテスト放水可能状態に動作した後に起動し、水噴霧ヘッド４から放水せずに排水側に加圧水を流すテスト放水を行い、テスト放水中に、自動弁装置１に設けた圧力センサで検出した放水圧力を含む電文をセンタ装置５に伝送し、センタ装置５側で自動弁装置１のテスト放水中の動作を表示する。
【００２７】
センタ装置５に対してはポンプ制御盤６と防災受信盤７が信号線接続されている。ポンプ制御盤６は、センタ装置５からの自動弁装置１の起動またはテスト放水に伴うポンプ起動信号を受けてポンプ設備を運転し、自動弁装置１へ通じる給水配管８に加圧水を供給する。
【００２８】
防災受信盤７は図示しないトンネル内に設置された火災検知装置からの火災信号を受信して火災警報を行うもので、火災警報に連動してセンタ装置５に火災信号を移報出力して、センタ装置５は火災発生地区に対応した自動弁装置１の遠隔起動を行わせる。なお、センタ装置５は防災受信盤７にその機能を組み込んで一体化しても良い。
【００２９】
図２は図１に設けた本発明による自動弁装置の実施形態を示した説明図である。図２において、自動弁装置１は開閉可能な弁体２２を内部に有する自動弁１０を備え、自動弁１０は定常時は閉じており一次側には給水配管８が接続され、加圧水が充填されている。
【００３０】
自動弁１０の二次側にはテスト用制水弁１１が設けられ、その二次側に図１に示したようにヘッド配管３を介して複数の水噴霧ヘッド４を接続している。テスト用制水弁１１は、定常時は全開としており、自動弁装置の点検時は閉鎖して水噴霧ヘッド４から実際に散水することなく、排水配管にテスト放水を行う。
【００３１】
ここで、自動弁１０の圧力制御機構およびそのための制御機器を説明する。自動弁１０の圧力制御機構１４は、シリンダ室１８内にピストン１６を摺動自在に収納している。ピストン１６は弁体２２が連結しており、ピストン１６の左側に備えたリターンスプリング２０により弁閉方向に付勢して定常時は閉鎖している。自動弁１０を開放するときは、ピストン１６の右側のシリンダ室１８に加圧水を供給することでリターンスプリング２０に抗して弁体２２を左側に移動することで開放する。
【００３２】
自動弁用圧力調整弁１２は、自動弁１０の二次側配管内の圧力を監視して、二次側圧力を所定圧力に維持するように自動弁１０の弁体２２の開度を制御する装置である。自動弁用圧力調整弁１２は、４つポートを備えており、自動弁１０の一次側と連通する一次側ポートＰ１、自動弁１０の二次側と連通する二次側ポートＰ２とパイロットポートＰＬ、自動弁のシリンダ室１８に連通するシリンダポートＣＬを備える。自動弁１０を閉じている定常時は、一次側ポートＰ１とシリンダポートＣＬが連通し、一次側ポートＰ１と二次側ポートＰ２の連通状態を閉鎖している。また、シリンダポートＣＬと二次側ポートＰ２は、他のポート同士が連通する時の水量と比較して極めて少ない量が流れるように連通している。自動弁用圧力調整弁１２は二次側の加圧水をパイロットポートＰＬに取り込んで二次側圧力を監視している。
【００３３】
定常時から自動弁１０を開放する水噴霧時の動作は、電動弁を用いたパイロット弁３０をセンタ装置５からの遠隔起動による開操作で行われる。なお、パイロット弁３０と並列に接続された手動起動弁３２を手動操作で開放することもできる。パイロット弁３０が開くと、一次側の加圧水が止め弁２６、パイロット弁３０、自動弁用圧力調整弁１２（ポートＰ１より入力しポートＣＬから出力される）及びオリフィス２８を介して自動弁１０のシリンダ室１８内のピストン１６よりも右側の空間に供給され、ピストン１６を左側にストロークして、弁体２２を弁座からリフトして開放し、自動弁１０の二次側に加圧水を供給し、水噴霧ヘッド４からトンネル内に散水させる。
【００３４】
ピストン１６よりも右側のシリンダ室１８内に加圧水が供給され続けると、自動弁１０は全開方向に制御されるため、二次側の圧力値は一次側の圧力値に近付く。自動弁用圧力調整弁１２のパイロットポートＰＬに入る加圧水は内部のダイアフラム室に入り、ダイアフラムの反対に設けたスプリングとの圧力比較により、二次側圧力が規定の圧力を超えるかを監視している。二次側の加圧水が上昇し、自動弁用圧力調整弁１２のパイロットポートＰＬに入る二次側の圧力値が規定圧力より高くなった場合、自動弁用圧力調整弁１２は一次側ポートＰ１とシリンダポートＣＬの間の流路を閉じると共に、シリンダポートＣＬと二次側ポートＰ２の連通量を定常時より多くする。
【００３５】
このためパイロット弁３０から自動弁用圧力調整弁１２を通って自動弁１０のシリンダ室１８に対する加圧水の供給が止まり、シリンダ室１８の加圧水は自動弁用圧力調整弁１２のシリンダポートＣＬを入り二次側ポートＰ２を通って二次側に排出することで圧力が下がり、リターンスプリング２０によるピストン１６の右側への戻りで弁体２２の開度が小さくなる。これによって二次側圧力値が減少し、規定の圧力値に近づく。
【００３６】
二次側圧力値が規定の圧力値より小さくなると自動弁用圧力調整弁１２の一次側ポートＰ１とシリンダポートＣＬが連通し、シリンダポートＣＬと二次側ポートＰ２の連通状態を定常時のように狭くする。これによってパイロット弁３０を通る自動弁１０の一次側加圧水がシリンダ室１８に入り、自動弁１０はふたたび開方向に動くことで弁体２２の開度を大きくして二次側圧力を大きくする。このような自動弁用圧力調整弁１２による自動弁１０の開閉調整の繰り返しで二次側圧力を規定の圧力値に調整する。
【００３７】
水噴霧ヘッド４からの散水を停止したい場合にはパイロット弁３０を遠隔的に閉制御する。パイロット弁３０を閉じると自動弁１０のリターンスプリング２０により弁体２２が閉止方向に移動し、シリンダ室１８の加圧水が自動弁用圧力調整弁１２のシリンダポートＣＬから入り、二次側圧力が低下していくことで定常状態になっている自動弁用圧力調整弁１２のシリンダポートＣＬと二次側ポートＰ２の狭い連通状態を介して二次側に流れ、弁体２２を緩やかに閉鎖する。なお、テスト放水時における自動弁１０の起動動作及び停止動作も水噴霧時と同じになる。
【００３８】
次にテスト用制水弁１１を説明する。テスト用制水弁１１として本実施形態にあっては、全開時の流過面積が大きく圧力損失の少ないバタフライ弁を使用している。なお、全開時の流過面積が大きく圧力損失の少ない弁としては、バタフライ弁以外にボール弁があり、バタフライ弁に代えてボール弁を使用しても良い。
【００３９】
テスト用制水弁１１には遠隔開閉操作を行うためにピストン・シリンダ機構を備えた水圧アクチュエータ３４が設けられている。水圧アクチュエータ３４の詳細は図３に示される。図３のシリンダ６０の内部にピストン６２を摺動自在に設け、ピストン６２から外部に取り出したピストンロッド６４の先端にガイドローラ６６を設け、バタフライ弁体２４の弁回転軸７２に連結した回動レバー７０の先端に設けたスライダ６８をピストンロッド６４のガイドローラ６６に嵌め入れている。ここで、ピストンロッド６４のガイドローラ６６と回動レバー７０のスライダ６８の連結により、ピストン６２の直線運動を弁回転軸７２の回転運動に変換する変換機構が構成される。
【００４０】
シリンダ６０はピストン６２により弁開放時に加圧水が供給される第１シリンダ室６１ａと、弁閉鎖時に加圧水が供給される第２シリンダ室６１ｂに分けられている。テスト用制水弁１１を開操作する場合は、矢印Ａで示すように第１シリンダ室６１ａに加圧水を供給すると同時に第２シリンダ室６１ｂを点線の矢印ａで示すように排水側に連通する。
【００４１】
このため第１シリンダ室６１ａに供給された加圧水によりピストン６２は第２シリンダ室６１ｂの水を排水しながら上方にストロークし、ピストンロッド６４のガイドローラ６６と回動レバー７０のスライダ６８の連結による変換機構を介して直線運動を弁回転軸７２の左回転運動に変換し、バタフライ弁体２４を開操作する。
【００４２】
テスト用制水弁１１を閉操作する場合は、逆に第２シリンダ室６１ｂに矢印Ｂに示すように加圧水を供給すると同時に第１シリンダ室６１ａを点線の矢印ｂで示すように排水側に連通する。
【００４３】
このため第２シリンダ室６１ｂに供給された加圧水によりピストン６２は第１シリンダ室６１ａの水を排水しながら下方にストロークし、ピストンロッド６４のガイドローラ６６と回動レバー７０のスライダ６８の連結による変換機構を介して直線運動を弁回転軸７２の右回転運動に変換し、バタフライ弁体２４を閉操作する。この開閉操作に伴う弁回転軸７２の回転角は概ね９０度となる。
【００４４】
なお、水圧アクチュエータは図３に限定されず、適宜のピストン・シリンダ機構を用いることができる。
【００４５】
再び図２を参照するに、テスト用制水弁１１に設けた水圧アクチュエータ３４にはリミットスイッチ２５が設けられ、バタフライ弁体の全開位置及び全閉位置を検知し、全開検知信号または全閉検知信号を出力する。具体的には、図３に示したピストンロッド６４又は回動レバー７０などの全開位置でオンするリミットスイッチと、全閉位置でオンするリミットスイッチを設ける。
【００４６】
テスト用制水弁１１に設けた水圧アクチュエータ３４を駆動制御する機器として、本実施形態にあっては、水圧アクチュエータ用圧力調整弁３６、点検弁４０およびテスト放水弁４２を設けている。なお、テスト放水弁４２は、本来、自動弁１０のテスト放水における排水側への経路を形成するものであるが、水圧アクチュエータ３４を開閉操作する際の排水側への経路切り替えにも利用している。また点検弁４０及びテスト放水弁４２は請求項における点検切替弁を構成する。
【００４７】
水圧アクチュエータ用圧力調整弁３６は自動弁１０に対する給水配管８からの加圧水を止め弁２６を介して導入し、導入圧より低い所定圧に調整した加圧水を点検弁４０のポートａに供給している。なお、このとき水圧アクチュエータ３４のピストン６２の移動速度を制御するために、点検弁４０の一次側或いは二次側にオリフィス３８若しくはニードル弁を設けてもよい。
【００４８】
ここで、一次側加圧水は例えば０．７０ＭＰａ〜１．７７ＭＰａの比較的高い圧力範囲をもつが、このような高い水圧を水圧アクチュエータ３４に加えると、例えば許容最大圧（耐圧）を例えば２．６６ＭＰａとする堅牢な構造を必要とし、水圧アクチュエータ３４が大型化してコストアップになる。
【００４９】
これに対し本実施形態にあっては、水圧アクチュエータ用圧力調整弁３６が調整する設定圧を一次側加圧水の圧力範囲より低い例えば０．５０ＭＰａに設定しており、このため水圧駆動する水圧アクチュエータ３４の許容最大圧（耐圧）を例えば１．０５ＭＰａと半減でき、その分、水圧アクチュエータ３４の強度を低下することができ、小型軽量化によりコストダウンすることができる。
【００５０】
なお、水圧アクチュエータ用圧力調整弁３６は、その二次側の水圧アクチュエータ３４のいずれか一方のシリンダ室に加圧水を充填すると、水圧アクチュエータ用圧力調整弁３６の二次側圧力が所定圧力よりも高くなったことを検知して水圧アクチュエータ用圧力調整弁３６内部に設けた弁体を閉鎖する。この水圧アクチュエータ用圧力調整弁３６の閉鎖により、充填した側のシリンダ室に加圧水を継続して充填することで、テスト用制水弁１１の開閉状態を保持する。
【００５１】
点検弁４０は遠隔操作可能な電動式の三方切替弁を使用している。定常時、テスト用制水弁１１は全開状態に保たれることから、点検弁４０はポートａをポートｂに連通する定常位置、即ち、水圧アクチュエータ用圧力調整弁３６で調整した加圧水を水圧アクチュエータ３４に供給して開操作する定常位置に切替えている。この定常位置は図３の水圧アクチュエータ３４の場合、シリンダ室６１ａに加圧水を供給してピストン６２を上方にストロークさせる開位置となる。
【００５２】
またテスト放水時、テスト用制水弁１１は水噴霧ヘッドからの実放水を阻止するために全閉状態に保たれることから、点検弁４０はポートｂを切り離し、ポートａをポートｃに連通する点検位置、即ち、水圧アクチュエータ用圧力調整弁３６で調整した加圧水を水圧アクチュエータ３４に供給して閉操作する点検位置に切替えている。この点検位置は図３の水圧アクチュエータ３４の場合、シリンダ室６１ｂに加圧水を供給してピストン６２を下方にストロークさせる閉位置となる。
【００５３】
テスト放水弁４２は遠隔操作可能な電動式の三方切替弁を使用している。定常時、自動弁１０の弁体２２は閉状態に保たれ、同時にテスト用制水弁１１は開状態に保たれており、テスト用制水弁１１に設けた水圧アクチュエータ３４のシリンダ室の一方を排水側に連通させる必要があることから、テスト放水弁４２はポートｂをポートａに連通する定常位置、即ち水圧アクチュエータ３４を開操作するための排水側に連通する定常位置に切り替わっている。このテスト放水弁４２の定常位置は、図３の水圧アクチュエータ３４の場合、シリンダ室６１ｂの水を排水してピストン６２を上方にストロークさせて全開状態を保持する切替位置となる。
【００５４】
またテスト放水時には、テスト用制水弁１１は水噴霧ヘッドからの実放水を阻止するために閉操作され、続いて自動弁１０の起動により調圧された二次側加圧水を排水側に流すテスト放水を行う。このテスト放水のため自動弁１０の二次側からテスト放水配管５５が引き出され、逆止弁５０を介してテスト放水弁４２のポートｃに接続している。
【００５５】
このためテスト放水時、テスト放水弁４２はポートｃをポートａに連通する点検位置に切り替わっている。テスト放水弁４２の点検位置は、テスト用制水弁１１を閉鎖するために水圧アクチュエータ３４を閉操作した場合の排水経路を形成する。
【００５６】
即ち、水圧アクチュエータ３４の閉操作で流出された水を逆止弁５２を介してテスト放水弁４２のポートｃに加え、点検位置への切り替えで連通しているポートａを介して排水側に流す。図３の水圧アクチュエータ３４の場合、閉操作の際にはシリンダ室６１ａの水をテスト放水弁４２を介して排水してピストン６２を下方にストロークさせて閉操作を行う。
【００５７】
またテスト用制水弁１１の閉操作が完了すると、後の説明で明らかにするように、パイロット弁３０を遠隔的に開操作することにより、自動弁１０の開制御が行われ、このときテスト放水弁４２はポートｃをポートａに連通する点検位置に切り替わってテスト放水経路を形成しており、自動弁１０の二次側に調圧供給された二次側加圧水は、テスト放水配管５５、逆止弁５０及びテスト放水弁４２を介して排水側に流れるテスト放水が行われる。
【００５８】
なお、逆止弁５２は自動弁１０のテスト放水による二次側加圧水が閉操作を保持している水圧アクチュエータ３４に回り込まないようにし、また逆止弁５０は水圧アクチュエータ３４からの排水が自動弁１０の二次側に回り込まないようしている。
【００５９】
また、自動弁１０の二次側から引き出したテスト放水配管５５に対して自動排水弁５４を設けている。自動排水弁５４は自動弁１０が閉鎖している定常時の圧力がない状態で開放し、テスト放水あるいは実火災時の放水による自動弁１０から二次側加圧水が出力されると閉鎖し、テスト放水や実火災時放水が停止されたあとのヘッド配管３内の水を排水するために設けられている。
【００６０】
自動弁１０の二次側から引き出したテスト放水配管５５に対しては圧力センサ４４が設けられている。パイロット弁３０の開放に伴う自動弁１０の開放により、水噴霧ヘッドから消火用水が散水されたとき、二次側の放水圧力が圧力センサ４４に導入され、圧力センサ４４は水噴霧ヘッドからの放水圧力を検出し、端末ユニット２を介して図１のセンタ装置５に放水圧力の検出情報を含む電文を送信する。これを受けてセンタ装置５にあっては、圧力センサ４４で検出した放水圧力に基づき放水動作確認表示を行うことになる。
【００６１】
図４は図１の実施形態について遠隔的な点検指示により自動弁装置をテスト放水動作に切替えた状態を示している。テスト放水時には、まず点検弁４０がポートａをポートｃに連通する点検位置に切替えられ、またテスト放水弁４２もポートｃをポートａに連通する点検位置に切替えられる。
【００６２】
このため水圧アクチュエータ用圧力調整弁３６で一次側圧力に対し低い設定圧に調整された加圧水は、点検弁４０から水圧アクチュエータ３４を閉操作するシリンダ室側、図３の第２シリンダ室６１ｂに矢印Ｂに示すように供給される。同時に、第１シリンダ室６１ａは点線の矢印ｂに示すように、テスト放水弁４２を介して排水側に連通し、第１シリンダ室６１ａの水は排水側に流れ出す。これによってピストン６２は下方にストロークし、ピストンロッド６４、ガイドローラ６６及び回動レバー７０を介して弁回転軸７２を時計回りに回動し、バタフライ弁体２４を閉鎖位置に回動し、テスト用制水弁１１が閉鎖する。
【００６３】
テスト用制水弁１１の閉鎖が完了してリミットスイッチ２５により全閉を検知すると、パイロット弁３０に開制御信号が与えられて開動作し、自動弁用圧力調整弁１２と自動弁１０の圧力制御機構１４の動作を通じて弁体２２が開放されると同時に二次側圧力を所定の設定圧に調整する圧力調整制御が行われ、自動弁１０の二次側に供給された加圧水は、テスト放水配管５５、逆止弁５０及びテスト放水弁４２を通って排水側に流れ、水噴霧ヘッドから噴霧することなくテスト放水を行うことができる。このテスト放水時のテスト放水配管５５内の圧力を圧力センサ４４で測定することで放水圧力が正しいか点検することができる。
【００６４】
図５は図１のセンタ装置と自動弁装置に設けた端末ユニットの詳細を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００６５】
図５において、自動弁装置側の端末ユニット２には端末伝送部８６と端末処理部８４が設けられ、端末処理部８４に対しては制御負荷としてパイロット弁３０、点検弁４０及びテスト放水弁４２が設けられ、またセンサとしてテスト用制水弁のリミットスイッチ（全開検出リミットスイッチと全閉検出リミットスイッチを含む）２５、圧力センサ４４及び圧力スイッチ４８が設けられている。端末処理部８４にはコンピュータのＣＰＵによるプログラムの実行で実現される機能として、水噴霧制御部８８及びテスト放水制御部９０が設けられている。
【００６６】
一方、センタ装置５にはセンタ伝送部９２とセンタ処理部９４が設けられ、センタ処理部９４に対しては表示部１００、操作部１０２、警報部１０４、更に記憶部１０６が接続されている。表示部１００は例えば操作部１０２を兼ねたタッチパネル付きの液晶表示パネルで構成される。
【００６７】
センタ処理部９４にはコンピュータのＣＰＵによるプログラムの実行で実現される機能として、水噴霧指示部９５、点検指示部９６及び点検復旧放水指示部９８を設けている。
【００６８】
ここで、点検指示部９６は自動点検を行い、この自動点検には、例えば順次点検、並列点検、個別点検などがあり、自動点検開始操作を行うと、所定の点検手順に従って制御コマンドを含む電文を送信して自動弁装置のテスト放水を自動的に行わせる。
【００６９】
また本実施形態の点検システムにあっては、自動弁装置の手動点検も可能であり、手動点検にあっては、所定の点検手順に従って例えば点検画面に表示された操作部位を点検員が操作して遠隔点検を行うが、この機能は省略している。
【００７０】
センタ処理部９４に設けた水噴霧指示部９５は、防災受信盤７から移報出力された火災信号を受信した場合に表示部１００に火災地区表示を行い、且つ警報部１０４から火災警報を出した際に、火災警報内容を確認した担当員が、操作部１０２により火災発報地区に対応した自動弁装置を指定した自動弁起動操作を行うことで放水信号が出力され、この放水信号を受信した場合に水噴霧のための水噴霧起動コマンドなどの各種の制御コマンドを含む電文を作成し、この電文をセンタ伝送部９２から伝送路９により自動弁装置側の端末ユニット２に伝送する。
【００７１】
センタ伝送部９２からの電文には伝送先を示す端末アドレスと制御内容を示す制御コマンドが含まれており、端末伝送部８６は受信電文から取得したアドレスが自己アドレスに一致することを検知した場合に有効な電文として電文内容を解析し（以下「有効受信」という）、例えば水噴霧起動コマンドであった場合には、水噴霧制御部８８によりパイロット弁３０に開制御信号を出力して開動作することで自動弁の開制御を行わせ、水噴霧ヘッドから散水させる。
【００７２】
自動弁の開放後に火災が鎮火して放水を停止する際にも、操作部１０２による自動弁停止操作に基づき、水噴霧指示部９５は放水停止コマンドを含む電文を生成してセンタ伝送部９２から伝送し、この電文を端末伝送部８６で有効受信した場合、水噴霧制御部８８によりパイロット弁３０に閉制御信号を出力して自動弁１０を閉動作することで水噴霧ヘッドからの散水を停止させる。
【００７３】
センタ処理部９４に設けた点検指示部９６は、点検員が表示部１００のメニュー画面から自動点検のメニューを選択し且つ最初に行う自動弁装置を選択した場合、自動点検を開始するための点検画面が表示され、この点検画面の点検開始釦を操作すると、自動点検を開始する。
【００７４】
また点検指示部９６は、点検中にあっては、自動弁装置に対する制御コマンドを含む電文の送信や、自動弁装置の検知データを含む電文の受信に基づき自動弁装置の動作状態の変化を検知し、これを表示部１００の点検画面に反映表示する。
【００７５】
自動弁装置の点検指示部９６は、自動弁装置を点検する場合、点検切替弁を構成するテスト放水弁４２と点検弁４０に定常位置から点検位置への切替えを指示してテスト用制水弁１１を閉鎖し、テスト用制水弁１１の全閉を検知した場合に、パイロット弁３０に開制御を指示して自動弁１０の二次側から排水側に加圧水を流してテスト放水し、圧力センサ４８によりテスト放水による放水圧力を計測し、テスト放水を終了する場合には、パイロット弁３０に閉制御を指示して自動弁１０を閉制御した後に、点検切替弁を構成する点検弁４０とテスト放水弁４２に点検位置から定常位置への切替えを指示してテスト用制水弁１１を開放する。
【００７６】
図６は図５の実施形態による自動弁装置点検動作を示した動作フロー図であり、センタ処理部９４に設けた点検指示部９６からの指示により行われる。
【００７７】
図６において、自動弁装置の点検が開始されると、ステップＳ１で点検指示部９６は、テスト放水弁４２を定常位置から点検位置へ切替える切替制御コマンドを含む電文を端末ユニット２に送信し、テスト放水弁４２を点検位置に切替え、テスト用制水弁１１の水圧アクチュエータ３４の第１シリンダ室を排水側に連通する。
【００７８】
続いてステップＳ２に進み、点検指示部９６は、点検弁４０を定常位置から点検位置へ切替える切替制御コマンドを含む電文を端末ユニット２に送信し、点検弁４０を点検位置に切替え、テスト用制水弁１１の水圧アクチュエータ３４の第２シリンダ室に一次側からの加圧水を供給する。
【００７９】
これによって水圧アクチュエータ３４はピストン６２を閉鎖側にストロークし、テスト用制水弁１１を閉駆動し、テスト用制水弁１１が全閉になるとリミットスイッチ２５により検知された全閉検知データを含む電文が有効受信され、ステップＳ３でテスト用制水弁１１の全閉を検知する。
【００８０】
続いてステップＳ４に進み、点検指示部９６はパイロット弁３０の開制御コマンドを含む電文を端末ユニット２に送信し、パイロット弁３０の開制御を指示する。これにより自動弁装置のパイロット弁３０が開き、自動弁用圧力調整弁１２により自動弁１０の調圧開動作が行われてステップＳ５で自動弁が開放し、自動弁１０の二次側から排水側に加圧水を流すテスト放水を実行する。
【００８１】
テスト放水の実行は、点検指示部９６側で圧力スイッチ４８のオンデータを含む電文を有効受信して解析することで検知され、続いてステップＳ６の圧力計測を行う。ステップＳ６の圧力計測は、テスト放水による圧力をテスト放水配管５５に設けた圧力センサ４４で圧力値を計測し、この圧力値データを含む電文を点検指示部９６側で有効受信して解析することで放水圧力を取得し、所定の圧力範囲にあれば、動作性能は正常として点検履歴に点検日時、放水圧力、正常か異常かの点検結果を記憶する。
【００８２】
点検が終了すると、続いてステップＳ７に進み、点検指示部９６はパイロット弁３０の閉制御を指示し、続いて点検弁４０の定常位置への切替制御を指示し、更にステップＳ１０でテスト放水弁４２の定常位置への切替制御を指示し、ステップＳ１１でテスト放水弁１１の全開を検知すると定常状態への復旧完了を認識して一連の点検処理を終了する。
【００８３】
再び図５を参照するに、センタ処理部９４に設けた点検復旧放水指示部９８は、点検指示部９６による自動弁装置の点検中に防災受信盤７から移報出力された火災信号の受信を検知した場合に、点検を中止して放水待機状態に移行させ、放水待機状態で操作部１０２の操作による放水開始信号を検知した場合に水噴霧ノズルから加圧水を散水させる。
【００８４】
点検復旧放水指示部９８により点検を中止した場合の放水待機状態への移行および放水待機状態からの放水は、火災信号の受信検知で中止した点検中の状態により異なった制御処理となる。
【００８５】
本実施形態にあっては、図６の動作フロー図に示すように、自動弁装置点検動作を状態１〜８に分けており、点検を中止した時点の自動弁装置の各機器の状態に応じて放水待機状態への復旧および放水待機状態からの放水を行う。ここで状態１〜８は次のようになる。
【００８６】
（状態１）
テスト放水弁４２に点検位置への切替えを指示する前までの状態（定常状態）。
（状態２）
テスト放水弁４２に点検位置への切替えを指示してから点検弁４０の点検位置への切替を指示する前までの状態（テスト放水弁の点検位置切替動作中の状態）。
（状態３）
点検弁４０の点検位置への切替えを指示してからテスト用制水弁１１の全閉検知を経てパイロット弁３０に開制御を指示する前までの状態（点検弁の点検位置切替動作中の状態）。
【００８７】
（状態４）
パイロット弁３０に開制御を指示してからパイロット弁３０に閉制御を指示する前までの状態（パイロット弁及び自動弁開放中の状態）。
（状態５）
パイロット弁３０に閉制御を指示してから自動弁閉を経て点検弁４０に定常位置への切替を指示する前までの状態（パイロット弁及び自動弁の閉鎖動作中の状態）。
【００８８】
（状態６）
点検弁４０に定常位置への切替えを指示してからテスト放水弁４２に定常位置への切替を指示する前までの状態（点検弁の定常位置切替動作中の状態）。
（状態７）
テスト放水弁４２に定常位置への切替えを指示してからテスト用制水弁１１の全開を検知する前までの状態（テスト放水弁の定常位置切替動作中の状態）。
（状態８）
テスト用制水弁１１の全開を検知した状態（定常状態復旧）。
【００８９】
このような自動弁装置の点検処理において、火災信号の受信検知により状態１〜８で点検を中止した場合の点検復旧放水指示部９８による動作の詳細を図７及び図８の動作フロー図を参照して説明すると次のようになる。
（状態４の点検復旧放水動作）
図７（Ａ）は火災信号受信検知により点検を中止した状態が図６の状態４に該当した場合の点検復旧放水動作を示した動作フロー図である。
【００９０】
点検を中止したタイミングが図６の状態４のときは、テスト用制水弁１１を全閉とした状態でパイロット弁３０の開制御により自動弁１０を調圧開制御して排水側にテスト放水を行っている状態である。
【００９１】
このような状態４で、火災信号等の非常状態が発生して点検を中止させた場合、従来のような自動弁装置を定常状態まで復旧させると、この復旧するまでの時間が長くなって、その後に散水制御すると火災対応遅れによる被害が大きくなることから、本実施形態にあっては定常状態へは復旧させず、ステップＳ２１のように、点検を中止した状態４におけるパイロット弁３０及び自動弁１０の開状態をそのまま放水待機状態として維持する。
【００９２】
続いてステップＳ２２に進み、状態４の放水待機状態で操作部１０２からの放水信号を検知した場合、ステップＳ２３に進んで点検弁４０の定常位置への切替えを指示し、続いてステップＳ２４でテスト放水弁の定常位置への切替えを指示し、テスト制水弁１１を開放制御する。ステップＳ２５で水圧アクチュエータ３４の駆動によるテスト用制水弁１１の全開を検知すると、既に自動弁１０は調圧開制御されていることから、開放したテスト用制水弁１１から水噴霧ヘッドに加圧水を供給して放水が行われる。
【００９３】
即ち、状態４で非常事態が発生して点検中止として放水待機状態に移行するための復旧は、状態４をそのまま放水待機状態として維持することから復旧時間が不要で、また待機中に放水信号を受信した場合は、点検弁４０とテスト放水弁４２の定常位置への切替えによるテスト用制水弁１１を開制御することだけで水噴霧ヘッドから放水でき、この放水開始までの時間も、定常状態で閉鎖している自動弁１０をパイロット弁３０の開制御で調圧制御する場合に比べ、より短い時間に短縮でき、火災対応の遅れ時間を最小限に抑えることができる。
【００９４】
続いてステップＳ２６でセンタ装置５の操作部１０２からの放水停止信号の受信を検知するとステップＳ２７に進んでパイロット弁３０に閉制御を指示し、ステップＳ２８で自動弁１０が閉鎖して放水を停止する。
（状態５の点検復旧放水処理）
図７（Ｂ）は火災信号受信検知により点検を中止した状態が図６の状態５に該当した場合の点検復旧放水動作を示した動作フロー図である。
【００９５】
点検を中止した状態５は、テスト放水による圧力計測を終了してパイロット弁３０の閉制御を指示して自動弁１０を閉じようとしている状態である。
【００９６】
このような状態５で点検を中止した場合、本実施形態にあっては、自動弁装置を定常監視状態に復旧させると、この復旧時間が長くなって火災対応遅れが大きくなることから、定常監視状態へは復旧させず、ステップＳ３０で閉動作の途中で停止したパイロット弁３０に対し開制御を指示し、ステップＳ３１で自動弁開とした放水待機状態に復旧させる。
【００９７】
続いてステップＳ３２に進み、放水待機状態で操作部１０２からの放水信号を検知した場合にステップＳ３３で点検弁４０の定常位置への切替えを指示し、続いてステップＳ３４でテスト放水弁の定常位置への切替えを指示し、ステップＳ３５で水圧アクチュエータ３４の駆動によるテスト用制水弁１１の全開を検知すると、既に自動弁１０は調圧開制御されていることから、開放したテスト用制水弁１１から水噴霧ヘッドに加圧水を供給して散水する。
【００９８】
即ち、状態５での点検中止は、放水待機状態の復旧時間は、閉制御中に停止したパイロット弁３０を開制御させる時間となり、その分、復旧時間なしの状態４に比べ復旧時間を必要とするが、放水信号を受信した場合は点検弁４０とテスト放水弁４２の定常位置への切替えによるテスト用放水弁１１の開制御で水噴霧ヘッドから放水でき、この放水開始までの時間は、定常監視状態で閉鎖している自動弁１０をパイロット弁３０の開制御で調圧制御する場合に比べ、より短い時間に短縮でき、火災対応の遅れ時間を最小限に抑えることができる。
【００９９】
なお、ステップＳ３６〜Ｓ３８の放水停止は図７（Ａ）のステップＳ２６〜Ｓ２８と同じになる。
（状態３の点検復旧放水動作）
図８（Ａ）は火災信号受信検知により点検を中止した状態が図６の状態３に該当した場合の点検復旧放水動作を示した動作フロー図である。
【０１００】
点検を中止した状態３は、点検弁４０に点検位置への切替えを指示してテスト用制水弁１１の全閉を検知した状態である。
【０１０１】
このような状態３で点検を中止した場合、本実施形態にあっては、自動弁装置を定常監視状態に復旧させるため、ステップＳ４１で点検弁４０に定常位置への切替えを指示し、続いてステップＳ４２でテスト放水弁４２に同じく定常位置への切替えを指示し、ステップＳ４３でテスト用制水弁１１の全開を検知すると定常監視状態に復旧して放水待機状態となる。
【０１０２】
続いてステップＳ４４に進み、放水待機状態（定常監視状態）で操作部１０２からの放水信号を検知した場合に、ステップＳ４５でパイロット弁３０の開制御を指示し、ステップＳ４６で自動弁１０を調圧開制御し、開放しているテスト用制水弁１１から水噴霧ヘッドに加圧水を供給して散水する。
【０１０３】
このような点検を中止した状態３からの点検復旧放水処理は、自動弁装置を定常監視状態に復旧して放水待機とすることから、従来と同じ火災対応時間となる。
【０１０４】
なお、ステップＳ４７〜Ｓ４９の放水停止は図７（Ａ）のステップＳ２６〜Ｓ２８と同じになる。
（状態６の点検復旧放水処理）
図８（Ａ）は火災信号受信検知により点検を中止した状態が図６の状態６に該当した場合の点検復旧放水動作を示した動作フロー図であり、前述した状態３の場合と同じになる。
【０１０５】
点検を中止した状態６は、点検弁４０に定常位置への切替えを指示して作動途中で点検中止した状態である。このような状態６で点検を中止した場合、本実施形態にあっては、自動弁装置を定常監視状態に復旧させるため、ステップＳ４１で点検弁４０に定常位置への切替えを指示し、続いてステップＳ４２でテスト放水弁４２に同じく定常位置への切替えを指示し、ステップＳ４３でテスト用制水弁１１の全開を検知すると定常監視状態に復旧して放水待機状態となる。
【０１０６】
その後の放水信号による放水および放水停止信号による放水停止は状態３の場合と同じになる。
【０１０７】
このような点検を中止した状態６からの点検復旧放水処理は、自動弁装置を定常監視状態に復旧して放水待機とすることから、従来と同じ火災対応時間となる。
（状態２の点検復旧放水処理）
図８（Ｂ）は火災信号受信検知により点検を中止した状態が図６の状態２に該当した場合の点検復旧放水動作を示した動作フロー図である。
【０１０８】
点検を中止した状態２は、テスト放水弁４２に点検位置への切替えを指示して作動途中で停止した状態である。
【０１０９】
このような状態２で点検を中止した場合、本実施形態にあっては、自動弁装置を定常監視状態に復旧させるため、ステップＳ５２でテスト放水弁４２に定常位置への切替えを指示し、続いてステップＳ５３でテスト用制水弁１１の全開を検知すると定常監視状態に復旧して放水待機状態となる。
【０１１０】
続いてステップＳ５４に進み、放水待機状態（定常監視状態）で操作部１０２からの放水信号を検知した場合にステップＳ５５でパイロット弁３０の開制御を指示し、ステップＳ５６で自動弁１０を調圧開制御し、開放しているテスト用制水弁１１から水噴霧ヘッドに加圧水を供給して散水する。
【０１１１】
このような点検を中止した状態２からの点検復旧放水処理は、自動弁装置を定常監視状態に復旧して放水待機とすることから、従来と同じ火災対応時間となる。
【０１１２】
なお、ステップＳ５７〜Ｓ５９の放水停止は図７（Ａ）のステップＳ２６〜Ｓ２８と同じになる。
（状態７の点検復旧放水処理）
また図８（Ｂ）は火災信号受信検知により点検を中止した状態が図６の状態７に該当した場合の点検復旧放水動作を示した動作フロー図であり、前述した状態２の場合と同じになる。
【０１１３】
点検を中止した状態７は、テスト放水弁４２に定常位置への切替えを指示して作動途中で停止した状態である。このような状態７で点検を中止した場合、本実施形態にあっては、自動弁装置を定常監視状態に復旧させるため、ステップＳ５２でテスト放水弁４２に定常位置への切替えを指示し、ステップＳ５３でテスト用制水弁１１の全開を検知すると定常監視状態に復旧して放水待機状態となる。その後の放水信号による放水および放水停止信号による放水停止は状態２の場合と同じになる。
【０１１４】
このような点検を中止した状態７からの点検復旧放水処理は、自動弁装置を定常監視状態に復旧して放水待機とすることから、従来と同じ火災対応時間となる。
（状態１，８の点検復旧放水処理）
図８（Ｃ）は火災信号受信検知により点検を中止した状態が図６の状態１又は状態８に該当した場合の点検復旧放水動作を示した動作フロー図である。
【０１１５】
点検を中止した状態１は点検開始前の定常状態であり、状態８は点検終了後の同じく定常監視状態である。
【０１１６】
このような状態１，８で点検を中止した場合、自動弁装置は定常監視状態にあるため復旧は不要であり、ステップＳ６４で操作部１０２からの放水信号を検知した場合にステップＳ６５でパイロット弁３０の開制御を指示し、ステップＳ６６で自動弁１０を調圧開制御し、開放しているテスト用制水弁１１から水噴霧ヘッドに加圧水を供給して散水する。
【０１１７】
このような点検を中止した状態１，８からの点検復旧放水処理は、従来と同じ火災対応時間となる。なお、ステップＳ６７〜Ｓ６９の放水停止は図７（Ａ）のステップＳ２６〜Ｓ２８と同じになる。
【０１１８】
図９は図７及び図８に示した点検を中止した状態１〜８に応じた点検復旧放水動作を実現する図５のセンタ処理部に設けた点検復旧放水指示部９８による処理の概略を示したフローチャートである。
【０１１９】
図９において、点検復旧放水指示部９８は、防災受信盤７から移報された火災信号の受信を検知するとステップＳ１０１で自動点検を中止し、ステップＳ１０２で点検中止時点の状態１〜８のいずれかを読み込む。
【０１２０】
続いてステップＳ１０３で状態４を検知した場合はステップＳ１０４で自動弁開の状態を維持してこれを放水待機状態とする。
【０１２１】
続いてステップＳ１０５で放水信号の受信を検知するとステップＳ１０６に進み、点検弁４０の定常位置への切替えを指示し、続いてステップＳ１０７でテスト放水弁４２の定常位置への切替えを指示し、ステップＳ１０８でテスト用制水弁１１の全開を検知して水噴霧ヘッドから放水させる。
【０１２２】
続いてステップＳ１０９で放水停止信号の受信を検知するとステップＳ１１０に進んでパイロット弁３０の閉制御を指示して自動弁を閉鎖して放水を停止し、定常監視状態に戻す。
【０１２３】
ステップＳ１０３で状態４ではなく、ステップＳ１１１で状態５を検知した場合は、ステップＳ１１２でパイロット弁３０に開制御を指示してステップＳ１０４に進み、自動弁開による放水待機状態とし、それ以降は状態４を検知した場合と同じステップＳ１０５〜Ｓ１１０の処理となる。
【０１２４】
ステップＳ１１３で状態３又は状態６を検知した場合は、ステップＳ１１４に進み、点検弁４０の定常位置への切替えを指示し、続いてステップＳ１１５でテスト放水弁４２の定常位置への切替えを指示し、ステップＳ１１６でテスト用制水弁１１の全開を検知して定常監視状態となる放水待機状態に復旧する。
【０１２５】
続いてステップＳ１１７で放水信号の受信を検知するとステップＳ１１８に進んでパイロット弁３０の開制御を指示して自動弁を開放し、水噴霧ヘッドから放水させる。
【０１２６】
続いてステップＳ１０９で放水停止信号の受信を検知するとステップＳ１１０に進んでパイロット弁３０の閉制御を指示して自動弁を閉鎖して定常監視状態に戻す。
【０１２７】
また、ステップＳ１１３で状態３又は状態６の検知ではない場合はステップＳ１１９に進み、ステップＳ１１９で状態２又は状態７を検知した場合は、ステップＳ１１５に進んでテスト放水弁４２の定常位置への切替えを指示し、ステップＳ１１６でテスト用制水弁１１の全開を検知して水噴霧ヘッドから放水させる。続いてステップＳ１０９で放水停止信号の受信を検知するとステップＳ１１０に進んでパイロット弁３０の閉制御を指示して自動弁を閉鎖して定常監視状態に戻す。
【０１２８】
また、ステップＳ１１９で状態２又は状態７の検知ではない場合は、状態１又は状態８の検知となり、この場合は、定常監視状態にあることからステップＳ１１７に進み、放水信号の受信を検知するとステップＳ１１８に進んでパイロット弁３０に開制御を指示して自動弁を開放し、水噴霧ヘッドから放水させる。続いてステップＳ１０９で放水停止信号の受信を検知するとステップＳ１１０に進んでパイロット弁３０の閉制御を指示して自動弁を閉鎖して定常監視状態に戻す。
【０１２９】
なお、上記の実施形態では、テスト時の自動弁二次側からの加圧水の排水と、テスト用制水弁１１を閉止する際の水圧アクチュエータ３４の第１シリンダ室６１ａの排水は、混合してからテスト放水弁４２のポートｃに入力して排水しているが、これに限らず、混合せずに、複数のテスト放水弁を使用してそれぞれ独立して排水する構成としても良い。
【０１３０】
またテスト放水弁４２は３方切替弁に限らず、水圧アクチュエータ３４の開閉いずれかのシリンダ室を排水するように切替可能とする複数の弁で構成しても良い。
【０１３１】
また水圧アクチュエータ３４に導入する加圧水の切替のために、点検弁４０とテスト放水弁４２の２つの三方切替弁で構成しているが、これに限らず、例えば一つの４方切替弁で構成しても良い。
【０１３２】
つまり、オリフィス３８の一次側に接続するポートａ、水圧アクチュエータ３４の開放側シリンダ室６１ａに接続するポートｂと閉鎖側シリンダ６１ｂに接続するポートｃ、及び排水側に接続するポートｄの４つのポートを備える。そしてテスト用制水弁１１を開放する定常時は、ポートａとポートｂを連通し、ポートｃとポートｄを連通することで、開放側シリンダ室６１ａに加圧水を供給するとともに、閉鎖側シリンダ室６１ｂの水を排水する。テスト用制水弁１１を閉鎖するテスト時は、ポートａとポートｃを連通し、ポートｂとポートｄを連通することで、閉鎖側シリンダ室６１ｂに加圧水を導入し、開放側シリンダ室６１ａの水を排水させる。この場合は、テスト用制水弁１１の開閉制御を一つの弁で構成し、テスト時の自動弁二次側の加圧水を排水側に接続する切替弁を別途設ければ良い。
【０１３３】
また、上記の実施形態におけるフローチャートは処理の概略例を説明したもので、処理の順番等はこれに限定されない。また各処理や処理と処理の間に必要に応じて遅延時間を設けたり、他の判定を挿入することができる。
【０１３４】
また、上記のテスト用制水弁１１の開閉制御は、水圧アクチュエータ３４の加圧水の供給切換により行っているが、これに限らず、自動弁１０に示すシリンダとピストンの構造で定常時に開放状態としても良いし、電動弁であっても良い。
【０１３５】
点検中止のタイミングは、水噴霧設備を起動させる火災発生時が主であるが、これに限らず、トンネル内の車輌故障情報、事故発生情報、停電などの非常に点検中止を行っても良い。
【０１３６】
また本発明はその目的と利点を損なうことのない適宜の変形を含み、更に上記の実施形態に示した数値による限定は受けない。
【符号の説明】
【０１３７】
１：自動弁装置
２：端末ユニット
４：水噴霧ヘッド
１０：自動弁
１１：テスト用制水弁
３０：パイロット弁（遠隔起動弁）
３４：水圧アクチュエータ
４０：点検弁
４２：テスト放水弁
４４：圧力センサ
８４：端末処理部
８６：端末伝送部
８８：水噴霧制御部
９０：テスト放水制御部
９２：センタ伝送部
９４：センタ処理部
９５：水噴霧指示部
９６：点検指示部
９８：点検復旧放水指示部
【図１】
2015130928.tif 000003
【図２】
2015130928.tif 000004
【図３】
2015130928.tif 000005
【図４】
2015130928.tif 000006
【図５】
2015130928.tif 000007
【図６】
2015130928.tif 000008
【図７】
2015130928.tif 000009
【図８】
2015130928.tif 000010
【図９】
2015130928.tif 000011